(57)【要約】      （修正有）【課題】スイッチの入り切りも含めた操作性のよい電動式の氷かき器を提供する。【解決手段】氷を削るためのカッター部（氷押え８及びカッター２０）と、該カッター部を駆動する電動モータ６とが取り付けられる本体部と、該本体部の左右に夫々設けられ、手で持つことが可能な腕部２と、左右の腕部２に夫々設けられたスイッチ５と、左右のスイッチ５が共に動作した時に、電動モータ６を起動させる制御部２１とを備えた。【選択図】図３
0003167573.tif 000002
【実用新案登録請求の範囲】
【請求項１】
氷を削るためのカッター部と、該カッター部を駆動するアクチュエータとが取り付けられる本体部と、
前記本体部の左右に夫々設けられ、手で持つことが可能な把持部と、
前記左右の把持部に夫々設けられたスイッチと、
前記左右のスイッチが共に動作した時に、前記アクチュエータを起動させる制御部と、を備えたことを特徴とする氷かき器。
【請求項２】
前記把持部は、前記本体部の上部から下方へ延びる腕部として形成されており、前記腕部が前記本体部に面している内側に前記スイッチの操作部が設けられていることを特徴とする請求項１に記載の氷かき器。
【請求項３】
前記操作部は、前記腕部の前記内側の形状に沿った形状を有しており、その回転支点が前記腕部の上部に設定されていることを特徴とする請求項２に記載の氷かき器。
【請求項４】
前記本体部の上部にキャラクターの顔がデザインされていることを特徴とする請求項１〜３のいずれか１項に記載の氷かき器。
【考案の詳細な説明】
【技術分野】
【０００１】
本考案は、電動で氷を削るタイプの氷かき器に関するものである。
【背景技術】
【０００２】
かかる電動氷かき器として、下記特許文献１に開示される手持ち形氷かき器が知られている。この氷かき器は、本体部の底にカッター部を設け、このカッター部を回転駆動するモータが組み込まれている。カッターを回転させるときは、本体部に設けられた操作体を操作することで内部のスイッチを入れることができ、モータに給電可能になる。
【先行技術文献】
【特許文献】
【０００３】
【特許文献１】実開平５−２５２７５号公報
【考案の概要】
【考案が解決しようとする課題】
【０００４】
上記の氷かき器は、操作体を螺合操作するため、氷かき器を手で持ちながらの操作が難しい。すなわち、氷かき器を手で持つと同時に操作体を螺合操作するのは、操作性が良いとはいえない。
【０００５】
本考案は上記実情に鑑みてなされたものであり、その課題は、スイッチの入り切りも含めた操作性のよい電動式の氷かき器を提供することである。
【課題を解決するための手段】
【０００６】
上記課題を解決するため本考案に係る氷かき器は、
氷を削るためのカッター部と、該カッター部を駆動するアクチュエータとが取り付けられる本体部と、
前記本体部の左右に夫々設けられ、手で持つことが可能な把持部と、
前記左右の把持部に夫々設けられたスイッチと、
前記左右のスイッチが共に動作した時に、前記アクチュエータを起動させる制御部と、を備えたことを特徴とするものである。
【０００７】
この構成による氷かき器の作用・効果を説明する。氷を削るカッター部とアクチュエータは、本体部に収容される。なお、カッター部とは、氷を押える部材、及び／又は、氷を削るカッターのことを指す。本体部の左右に把持部が設けられ、これを左右の手で把持する。かき氷を作る時は、両手で左右の把持部を持ち、かき氷を入れるお皿あるいは容器の上に本体部を位置させて、左右の把持部に設けられているスイッチを動作させる。両方のスイッチが動作した時に初めて、アクチュエータを起動させ、氷を削ることができる。すなわち、片方のスイッチが入ったのみではアクチュエータは起動しないので、不安定な姿勢で氷を削ることがなく、安全性を確保することができる。また、両手で把持部を持つだけでよく、安定した姿勢で動作させることができる。従って、操作性のよい氷かき器とすることができる。
【０００８】
本考案に係る前記把持部は、前記本体部の上部から下方へ延びる腕部として形成されており、前記腕部が前記本体部に面している内側に前記スイッチの操作部が設けられていることが好ましい。
【０００９】
腕部の内側にスイッチの操作部が設けられているので、把持部を手でつかんだ時の自然な状態で、指の腹で操作部を操作することができ、自然な状態でスイッチを操作することができる。
【００１０】
本考案に係る前記操作部は、前記腕部の前記内側の形状に沿った形状を有しており、その回転支点が前記腕部の上部に設定されていることが好ましい。
【００１１】
操作部が上記形状を有し、かつ、回動支点が上部に設定されることで、把持部をつかんだ指の腹で自然に操作することができ、操作性を更にすぐれたものにすることができる。
【００１２】
本考案において、前記本体部の上部にキャラクターの顔がデザインされていることが好ましい。かかる構成により、左右の把持部を外観的にも違和感なく配置することができる。
【図面の簡単な説明】
【００１３】
【図１】氷かき器の外観正面図
【図２】氷かき器の外観背面図
【図３】氷かき器の内部構造を示す図
【図４】氷をセットする時の動作を示す模式図
【図５】氷かき器を手で持った状態を示す図
【考案を実施するための形態】
【００１４】
本考案に係る氷かき器の好適な実施形態を図面を用いて説明する。図１は、氷かき器の外観正面図であり、図２は同じく背面図である。
【００１５】
図１，２も示すように、氷かき器は、本体部１と、本体部１の上部左右に設けられた腕部２（把持部に相当）により構成される。本体部１は全体として略円筒状に形成される。本体部１は、底部１０を有し平坦な載置面に安定した状態で載置できるように脚部１０ａが設けられる。
【００１６】
本体部１の底部の上で、かつ、下半分の領域は氷ケース部１１（胴体部）が設けられ、更にその上には、駆動部１２が設けられる。氷ケース部１１と駆動部１２とは互いに着脱自在に装着される。着脱自在にするための構造は、公知の構造を採用することができる。駆動部１２には、猿の顔キャラクターがデザインされている。顔キャラクターは、猿でなくてもよく、動物、人物等適宜変更することができる。顔キャラクターをデザインすることで、左右の腕部２を外観的に違和感なく配置することができる。
【００１７】
左右の腕部２の内側（本体部１の駆動部１２に面する側）には、操作部３が設けられている。操作部３を図１の矢印方向に押すことで、内部のスイッチを動作（オン）にすることができる。操作部は、腕部２の内側形状にほぼ沿った形状を有しており、手で把持した時に違和感がないようにしている。図２に示すように、背面側には電源コード１３が設けられている。なお、商用電源で駆動するのではなく、電池（例えば、単二、単三電池や内臓ニッケル電池のような充電用電池等）や、ＡＣアダプター、ＵＳＢ等で駆動するように構成してもよい。
【００１８】
＜内部構造＞
図３は、氷かき器の内部構造を示す概念図である。左右の操作部３は、回転支点３ａが腕部２の上部に設定されている。図３の右側の操作部３は、回転支点３ａを反時計方向周りに回転可能に軸支されている。また、右側の操作部３は、付勢手段であるバネ４により時計方向に付勢されている。図３の左側の操作部３は、回転支点３ａを時計方向周りに回転可能に軸支されている。また、左側の操作部３は、付勢手段であるバネ４により反時計方向に付勢されている。
【００１９】
左右の操作部３により動作するスイッチ５が左右の腕部２に夫々設けられている。操作部３には突起３ｂが形成されており、操作部３を手で押すと、突起３ｂがスイッチ５を押し、スイッチ５をオンにすることができる。このスイッチ５は、例えば、マイクロスイッチにより構成されるが、スイッチ５の構成としては、機械的に動作するスイッチではなく、光学的に操作部３の動きを検知するスイッチであってもよい。操作部３は、バネ４により外方に突出する方向に付勢されているので、操作部３を把持している手を離せば、バネ４の付勢力により、操作部３はもとの位置に戻る。
【００２０】
駆動部１２には、アクチュエータとしての電動モータ６と、電動モータ６に連結された減速機構７と、この減速機構７に連結された氷押え８を備えている。また、左右のスイッチ５がオンになったか否かを検出する検出部９が設けられている。制御部２１、左右の検出部９により２つのスイッチ５が両方ともオンになった時に電動モータ６を起動するように制御する。また、氷ケース部１１が本体部１（駆動部１２）に装着されているか否かを検出する装着検出部２３が設けられており、氷ケース部１１が装着されていないときは、モーター６が駆動されないように制御する。これにより、安全性を確保している。
【００２１】
氷押え８は、軸部８ａと抑え板８ｂと押え爪８ｃを有しており、氷Ｋの表面を押え爪８ｃで押えながら、氷Ｋを回転させることができる。氷Ｋが載置される下面には、カッター２０が設けられている。このカッター２０と氷押え８がカッター部として機能する。カッター２０は固定されており、氷Ｋの上面を押え爪８により押えながら、電動モータ６により氷押え８を回転させると、氷Ｋも一緒に回転し、氷Ｋを細かく削ることができる。なお、氷押え８やカッター２０自体は、公知の構造のものを用いることができる。カッター２０は氷Ｋを入れる容器２２の下方に設けられている。
【００２２】
底部１０には開口部１０ｂが形成されており、削られた氷は、この開口部１０ｂから下方に落下し、下方に載置されているお皿や容器に収容される。
【００２３】
＜動作＞
次に、実際に本考案に係る氷かき器を使用する時の動作を説明する。図４は、氷Ｋをセットする時の動作を示す模式図である。図４は、本体部１の氷ケース部１１と駆動部１２を外した状態を示す。氷ケース部１１から容器２２を取り出し、別途作っておいた氷Ｋを容器２２にセットし、氷ケース部１１に戻す。次いで、氷ケース部１１と駆動部１２を連結する。
【００２４】
図５は、氷かき器を手で持った状態を示す図である。指で左右の腕部２を掴むように持ち、左右の操作部３を同時に押すことで、制御部２０から電動モータ６に指令が出され、電動モータ６に給電される。これにより、氷押え８が回転駆動され、収容された氷Ｋも一緒に回転する。これにより、氷Ｋがカッター２０により削られる。
【００２５】
かかる構成によれば、片方の操作部３のみを操作しても、電動モータ６は駆動しないので、不安定な姿勢で氷を削ってしまうことはない。そして、両手で操作部３を操作した時にのみ氷押え８を回転駆動させるので、安定した状態で氷を削ることができる。また、左右の腕部２を手で把持するという、自然な操作方法で起動できるので操作性を向上させることができる。
【００２６】
＜別実施形態＞
本体部１や腕部２の具体的な外観形状は、本実施形態に限定されるものではなく、種々の変形例が可能である。
【符号の説明】
【００２７】
１        本体部
２        腕部
３        操作部
４        バネ
５        スイッチ
６        電動モータ
７        減速機構
８        氷押え
９        検出部
１０      制御部
１１      氷ケース部
１２      駆動部
２０      カッター
２１      制御部
２２      容器
２３      装着検出部
【図１】
0003167573.tif 000003
【図２】
0003167573.tif 000004
【図３】
0003167573.tif 000005
【図４】
0003167573.tif 000006
【図５】
0003167573.tif 000007